(57)【特許請求の範囲】
【請求項１】
被検体近傍に配置され、前記被検体から発生する生体磁場を前記被検体以外から発生する環境磁場とともに検出する複数の生体磁場測定用コイルと、
前記環境磁場を検出する複数の環境磁場測定用コイルを少なくとも有する環境磁場測定手段と、
前記被検体が存在しない状態での前記生体磁場測定用コイルと前記環境磁場測定手段の各出力に基づいて予め求められた前記生体磁場測定用コイルと前記環境磁場測定手段の各出力の関係を用いて、前記被検体が存在する状態での前記生体磁場測定用コイル及び前記環境磁場測定用コイルで測定されるデータに基づいて、前記生体磁場測定用コイルで測定されるデータに含まれる環境磁場成分を求める手段と、
該環境磁場成分を前記被検体が存在する状態で前記生体磁場測定用コイルで測定された結果から除去し、該環境磁場成分が除去された測定結果に基づいて前記被検体の生体磁場分布を求める手段と
を有することを特徴とする生体磁場測定装置。
【請求項２】
前記生体磁場測定用コイルと前記環境磁場測定手段の各出力の関係は、２乗平均推定法、最小２乗推定法のいずれかを用いて算出された、前記被検体が存在する状態での前記生体磁場測定用コイルで測定される環境磁場成分を推定するための推定行列を含むものであることを特徴とする請求項１記載の生体磁場測定装置。
【請求項３】
前記環境磁場成分を求める手段は、前記被検体が存在しない状態での前記複数の生体磁場測定用コイルの出力値からそれぞれの平均値を減算した値と、前記被検体が存在しない状態での前記複数の前記環境磁場測定手段の出力値からそれぞれの平均値を減算した値とを用いて前記環境磁場成分を求めることを特徴とする請求項１記載の生体磁場測定装置。
【請求項４】
前記環境磁場成分を求める手段は、前記各環境磁場測定手段による測定磁場データをそれぞれ各環境磁場測定手段の測定誤差で除算した結果を用いることを特徴とする請求項１記載の生体磁場測定装置。
【請求項５】
前記環境磁場成分を求める手段は、前記各環境磁場測定用コイルにて測定された各測定磁場データが各コイル間で無相関となるように各測定磁場データを補正し、この補正結果を用いて前記環境磁場成分を求めることを特徴とする請求項１記載の生体磁場測定装置。
【請求項６】
前記生体磁場測定用コイルおよび前記環境磁場測定用コイルはシールドルーム内に配置され、
前記環境磁場測定手段は前記シールドルームの外部の環境磁場を測定する磁束計を有することを特徴とする請求項１記載の生体磁場測定装置。
【請求項７】
前記生体磁場測定用コイルおよび前記環境磁場測定用コイルはシールドルーム内に配置され、
前記環境磁場測定手段は前記シールドルームに鎖交する磁束を測定する磁束計を有することを特徴とする請求項１記載の生体磁場測定装置。
【請求項８】
前記環境磁場測定手段は、当該生体磁場測定装置の周辺機器に配置された振動検出手段を有することを特徴とする請求項１記載の生体磁場測定装置。
【発明の詳細な説明】
【０００１】
【産業上の利用分野】
本発明は、ＳＱＵＩＤ磁束計を用いて生体磁場を測定する生体磁場測定装置に係り、特に、都市雑音等に起因する環境磁場を除去して高精度に生体磁場を測定する技術に関する。
【０００２】
【従来の技術】
近年、医用診断装置の開発が進められる中で、ＳＱＵＩＤ磁束計を用いた生体磁場測定装置が実用に供されつつある。
【０００３】
脳磁図、心磁図、肺磁図、筋磁図に代表される生体磁場は一般に非常に微弱である。ＳＱＵＩＤ磁束計は非常に高感度で、感度的にはこれらの測定が可能な程度の感度を実現することが可能である。しかし、脳磁図、心磁図などの測定対象（便宜的に生体磁場と呼ぶことにする）は、それ以外の要因で発生する環境磁場（例えば自動車やエレベータ、蛍光灯などから発生する都市雑音や生体の他の部分の活動に伴って発生する磁場）に比較して非常に小さいため、生体磁場の測定のためには環境磁場の除去を行なう必要がある。
【０００４】
環境磁場の除去には、測定システムを磁気シールドルームの中に設置する方法、磁場の１次勾配、２次勾配などを測定する方法があり、通常はこれらを組み合わせて環境磁場の除去を行っている。そのほか、生体磁場測定用の測定点の他に、少し離れた場所に環境磁場測定用の測定点を設置して環境磁場の除去を行うことが考えられており、そのような、環境磁場測定用の測定点を具備した装置が製作されている。これを用いた環境磁場除去方法としては、生体磁場測定点での環境磁場の値を、環境磁場測定点の測定値から、線形補間、多項式による補間、スプライン補間などの補間により求め、生体磁場測定点での測定値から差し引くことにより環境磁場の影響を除去する方法が考えられている（特開平５−２９７０８７号公報）。
【０００５】
【発明が解決しようとする課題】
前記の方法は、線形補間やスプライン補間、多項式による補間などの補間により生体磁場測定点での環境磁場を求め、それを生体磁場測定点の測定値から差し
【外１】
0003596822.tif 000002
パラメータα１  ，α２  ，…を決定するというような考え方で行われる。
【０００６】
このような考えに基づく場合、環境磁場の測定点がある程度密に配置されていれば、線形補間のような粗い近似を用いても精度良く補間できる。ところが、実際の装置では環境磁場測定点は十分多く配置されることは少なく、環境磁場測定点は粗に配置されることが多い。環境磁場が線形に変化していると見なせないほど環境磁場測定点の間隔を大きくした場合（言い換えれば環境磁場測定点数が少ない場合）、補間した結果と実際の環境磁場の分布はあまり一致しなくなる。
【０００７】
スプライン補間や多項式を用いて、より高次の補間を行えばこの不一致を小さくすることが出来るが、そのためには環境磁場の測定点数が線形補間を行うより多く必要となる。例えば３次元空間内での補間を行うためには線形補間の場合、少なくとも磁場の各成分につき４個の環境磁場測定点が必要であり、磁場の３成分全てを補間する場合、合計１２個の測定点が必要である。それに対し、多項式補間のひとつである２次補間を有効に行おうとすれば少なくとも磁場各成分について１０個、３成分では合成３０個の測定点が必要になる。スプライン補間を行おうとすればさらに多くの測定点が必要になる。
【０００８】
すなわち、線形補間は１２個の測定点で実行できるが、補間結果と実際の環境磁場の分布が一致しないことが多く、補間の精度が余りよくないという問題がある。補間の精度を上げるには環境磁場測定点数を増やす方法と、多項式による高次補間やスプライン補間を適用する方法があるが、環境磁場測定点数を増やせば装置の構造が複雑になるという問題があり、多項式による高次補間やスプライン補間の適用も測定点数の増加のため装置の構造が複雑になるという問題がある。
【０００９】
また、正確な補間を行うためには環境磁場測定点での測定値に生体磁場が混入しないことが必要であり、環境磁場測定点は生体からある程度離れた位置に設置する必要がある。ところが、補間法、具体的には線形補間や多項式による高次補間、スプライン補間を行う場合、各方法により定められた位置に各測定点を配置するのが望ましい。従って、特に補間精度を向上させるため多数の測定点を配置しようとした場合、全ての測定点が生体から離れた位置に設置することが困難であるという問題がある。
【００１０】
この発明はこのような従来の課題を解決するためになされたものであり、その目的とするところは、環境磁場の測定点数が多項式による高次補間やスプライン補間を適用できないような少ない測定点数でも環境磁場の除去が有効に行えるような生体磁場測定装置を提供することにある。
【００１１】
【課題を解決するための手段】
上記目的を達成するため、本発明の生体磁場測定装置は、被検体近傍に配置され、前記被検体から発生する生体磁場を前記被検体以外から発生する環境磁場とともに検出する複数の生体磁場測定用コイルと、前記環境磁場を検出する複数の環境磁場測定用コイルを少なくとも有する環境磁場測定手段と、前記被検体が存在しない状態での前記生体磁場測定用コイルと前記環境磁場測定手段の各出力に基づいて予め求められた前記生体磁場測定用コイルと前記環境磁場測定手段の各出力の関係を用いて、前記被検体が存在する状態での前記生体磁場測定用コイル及び前記環境磁場測定用コイルで測定されるデータに基づいて、前記生体磁場測定用コイルで測定されるデータに含まれる環境磁場成分を求める手段と、該環境磁場成分を前記被検体が存在する状態で前記生体磁場測定用コイルで測定された結果から除去し、該環境磁場成分が除去された測定結果に基づいて前記被検体の生体磁場分布を求める手段とを有することを特徴とする。
【００１２】
【作用】
上述の如く構成された本発明の作用を図２に基づいて説明すると、生体の被測定対象の近傍に複数の生体磁場測定点を設置しそれらの点での測定値を生体磁場データとする。生体の被測定対象から少しはなれた点に環境磁場測定点を設置しそれらの点での測定値を環境磁場データとする。
【００１３】
環境磁場測定フェーズでは装置に被検者を設置しない状態で環境磁場データと生体磁場データを測定し、それらの関係を求める。
【００１４】
生体磁場測定フェーズでは装置に被検者を設置した状態で環境磁場データと生体磁場データを測定し、前のフェーズで得た関係から生体磁場データ中に含まれる環境磁場成分を推定する。
【００１５】
環境磁場除去フェーズでは、生体磁場データから環境磁場成分を引き算などにより除去する。
【００１６】
【実施例】
図１に本発明による生体磁場測定装置のブロック図を示す。ピックアップコイル１ａ，１ｂおよびＳＱＵＩＤ２ａ，２ｂは図示しない冷凍容器に収納され超伝導にて動作するような温度に保たれる。生体磁場測定用ピックアップコイル群は図３に示すように生体の測定対象領域、ここでは頭部近傍の複数の位置に置かれ、これに接続されたＳＱＵＩＤ２ａ，２ｂおよび駆動装置と共に動作して、脳の活動にともなって発生する微弱な磁場に対応する電気信号を出力する。しかし、生体磁場測定用ピックアップコイル１ａ，１ｂには対象領域からの信号（以下、生体磁場と呼ぶ）以外から発生する磁場（以下、環境磁場と呼ぶ）も重畳するため、この電気信号にも環境磁場信号が重畳されている。この信号は信号収集部３でデジタル信号に変換される。図３に示す環境磁場測定用ピックアップコイル群１ａは、生体磁場に対する感度が低くなるように頭部から少しはなれた場所に設置する。従って、環境磁場測定用ピックアップコイル１ａにより検出されＳＱＵＩＤ２ａおよび駆動回路により電気信号に変換された信号は環境磁場のみを計測したものと見なされる。この信号も信号収集部３でデジタル信号に変換される。
【００１７】
環境磁場推定部４には環境磁場測定用のピックアップコイル１ａで検出されたデジタル信号に変換された信号（環境磁場データ）と生体磁場測定用ピックアップコイル１ｂで検出されデジタル信号に変換された信号（生体磁場データ）が受け渡され、これらの信号をもとに、生体磁場データ中に含まれる環境磁場やそれに関する種々の量を推定し、また、フィルタ処理など必要な信号処理を加え、これらを解析部５へ出力する。解析部５では受け渡されたデータおよび、ＭＲＩやＣＴなどそのほかの装置から得られたデータから脳内の活動を推定し、表示部５でこの推定結果を表示する。このような生体磁場測定装置の構成はすでに知られているものである。特に、環境磁場測定用ピックアップコイル１ａや生体磁場測定用ピックアップコイル１ｂとしては、頭部に垂直な磁場のみを測定するピックアップコイルや、磁場の法線方向以外の成分も測定するピックアップコイル、磁場そのものを計測するピックアップコイル（マグネットメータ型）、１次勾配、２次勾配型のピックアップコイルなどが単体（同じタイプのピックアップコイルのみを使用）で、あるいは組み合わされて使用されている。
【００１８】
本発明のポイントは環境磁場推定部４において、従来は生体磁場データに含まれる環境磁場を環境磁場測定用ピックアップコイル１ａで検出されたデータから補間で求めていたものを、以下に説明する方法におきかえることにより、従来の方法に存在する問題を改善する点にある。
【００１９】
環境磁場測定用ピックアップコイル１ａで検出されたＮ個の環境磁場データをυ１  ，υ２  ，…，υＮ  とし、生体磁場測定用ピックアップコイル１ｂで検出されたＭ個の生体磁場データに含まれる環境磁場をｕ１  ，ｕ２  ，…，ｕＭ  とし、これ
【外２】
0003596822.tif 000003
定されるものと仮定する。
【００２０】
【数１】
0003596822.tif 000004
【外３】
0003596822.tif 000005
【数２】
0003596822.tif 000006
【外４】
0003596822.tif 000007
【数３】
0003596822.tif 000008
【外５】
0003596822.tif 000009
【数４】
0003596822.tif 000010
の様に計算する。
【００２１】
【外６】
0003596822.tif 000011
磁場の解析を行う。解析法については本発明の範囲外であり詳説しないが、代表的には生体磁場測定データから生体磁場測定データに含まれる環境雑音を引き算などで除去したデータを用いて脳内電流源の推定などを行う。
【００２２】
本発明によれば、複数の環境磁場測定点を従来の補間による方法より自由な位置に配置することが可能になる。図３に環境磁場測定点の望ましい配置の例を示す。生体磁場測定用ピックアップコイル１ｂと環境磁場測定用ピックアップコイル１ａが２次元的に配置されているように図示されているが、実際には頭部の周囲に３次元的に配置されている。
【００２３】
生体磁場測定点は頭部から発生する微弱な磁場を測定するため、頭部のそばにおかれる。例として１次勾配型ピックアップコイルを頭部にほぼ垂直な磁場を測定する向きに配置されているが、２次勾配型ピックアップコイルやそれ以上の次数のピックアップコイル、あるいは、マグネットメータ型のピックアップコイルや頭部に垂直な成分以外の成分を測定するピックアップコイル、ひとつの測定点に２つ以上のピックアップコイルが設置されたベクトル型ピックアップコイルなど、他のタイプのピックアップコイルを配置することもできる。
【００２４】
環境磁場測定点は頭部から発生する磁場を検出しないようにするため、頭部から５ｃｍから１０ｃｍ以上離れた曲面上の数点に配置する。例として１次勾配型ピックアップコイルを頭部にほぼ垂直な磁場を測定する向きに配置されているが、他のタイプのピックアップコイルも用いることも可能である。
【００２５】
環境磁場測定用ピックアップコイル１ａと生体磁場測定用ピックアップコイル１ｂは異なるタイプのものを用いて差し支えない。ピックアップコイルの勾配次数はできれば同じものがよい（が異なっていても良い）。ベースラインは生体磁場測定用ピックアップコイルと同程度がよいがこれより長くても短くても構わない。環境磁場測定精度を向上させるには長い方がよい。
【００２６】
従来の補間による方法では図３のような配置は困難であったが、本発明による環境磁場推定法は自由な位置に環境磁場測定点を設置できるため、同図の様な配置が可能である。各環境磁場測定点が生体磁場測定点の比較的近傍にあるため、生体磁場測定用と環境磁場測定用のピックアップコイル１ａ，１ｂおよびＳＱＵＩＤ２ａ，２ｂを従来より小さい冷凍容器内に設置することが可能となり、液体ヘリウムなどの冷媒が少なくて済むため、冷凍容器全体の重量の軽量化がはかれ、冷凍容器を支持するガントリの軽量化もはかれ、ひいてはシステム全体のコストの低減がはかれる。
【００２７】
【外７】
0003596822.tif 000012
【数５】
0003596822.tif 000013
【外８】
0003596822.tif 000014
【数６】
0003596822.tif 000015
の計算を行う必要がなくなるので、生体磁場の測定および解析に要する手間が軽減される（本実施例は第３実施例以降の実施例に対しても組み合わせて適用できる）。
【００２８】
次に、第３実施例について説明する。本実施例も第１実施例と同様に、生体磁
【外９】
0003596822.tif 000016
Ｕ＝ＡＶ                …（６）
が得られる。
【００２９】
【数７】
0003596822.tif 000017
の各成分を最少にするＡは
Ａ＝ＵＶｔ  （ＶＶｔ  ）−１      …（７）
により得られる。本実施例では式（７）  を用いて式（１）  中の行列Ａを計算する。結果的には本実施例は第１実施例と等価である。
【００３０】
次に、第４実施例について説明する。本実施例では行列Ａを求めるのに特異値分解を使用する。式（６）  の行列Ｖを次のように特異値分解する。
【００３１】
Ｖ＝ＬＤＲｔ              …（８）
ＬはＮ×Ｓの直交行列、ＲはＳ×Ｓの直交行列、ＤはＳ×Ｓの対角行列である。行列Ａは次式により求める。
【００３２】
Ａ＝ＵＲＤ′Ｌｔ          …（９）
Ｄ′はＤの対角要素の逆数を対角要素とする行列である。ただし、Ｄの対角要素が０に近く、例えばＤの最大の対角要素の機械精度×Ｎ倍より小さいとき、対応するＤ′の対角要素は０に置き換える。
【００３３】
次に、第５実施例について説明する。本発明による環境磁場の推定法は環境磁場測定データや生体磁場測定データに直流成分が重畳していると推定精度の劣化が発生することがある。本実施例では直流成分の除去のため、行列Ａの計算に使
【外１０】
0003596822.tif 000018
を行うのがよい。
【００３４】
次に、第６実施例について説明する。環境磁場測定データの測定誤差が各チャネルで一定していない場合、次のような処理を行うことで推定精度の向上を図ることが出来る。環境磁場データの測定値のｊ番目のチャネルに含まれる雑音をσ
【外１１】
0003596822.tif 000019
σ１  ，σ２  ，…，σＮ  が無相関とは見なされない場合、次の方法をとることもできる。σ１  ，σ２  ，…，σＮ  の相関行列〈σσｔ  〉を次のようにスペクトル分解する。
【００３５】
【数８】
〈σσｔ  〉＝Ｐｄｉａｇ（λ１  ，λ２  ，…，λＮ  ）Ｐｔ      …（１０）
行列
【数９】
Ｅ−１／２＝ｄｉａｇ（１／√λ１  ，１／√λ２  ，…，１／λＮ  ）
【外１２】
0003596822.tif 000020
上述のような方法を用いることにより、環境磁場測定データの測定誤差が各チャネルで一定していないことによる、さらに、各チャネルの相関があることによる推定誤差の劣化を抑えることが出来る。
【００３６】
次に、第７実施例について説明する。図４に環境磁場測定点の望ましい配置の他の例を示す。図４では頭部の周囲に生体磁場測定用ピックアップコイル１ｂが配置され、その前後、あるいは左右に環境磁場測定用ピックアップコイル群が配置されている。このように配置することにより、ピックアップコイルを収納する冷凍容器をさらに小さくする事が可能になり、冷凍容器内の液体ヘリウム量も少なくすることが出来るので、装置の小型、軽量化につながる。
【００３７】
次に、第８実施例について説明する。第１実施例および第７実施例では環境磁場測定用ピックアップコイルに磁場の頭部に垂直な成分のみを測定するピックアップコイルを用いた。本実施例は図５のように環境磁場測定用ピックアップコイル１ａのいくつか（あるいは全部）を頭部に垂直な成分以外の成分を測定する向きに設置するものである。このようにすることにより、各環境磁場測定点の測定データの独立性を高くすることができ、生体磁場測定点での環境成分の推定精度を向上することができる。あるいは、同じ推定精度を実現するために必要な環境磁場測定点数を節約することができる。
【００３８】
次に、第９実施例について説明する。本実施例は図６に示すようにひとつの環境磁場測定点に軸、あるいは３軸方向の磁場を測定するように２つあるいは３つのピックアップコイルを設置するように構成したものである。本実施例によれば第８実施例と同様に、生体磁場測定点での環境磁場成分の推定精度を向上することができ、あるいは同じ推定精度を実現するために必要な環境磁場測定点数を節約することができる。
【００３９】
次に、第１０実施例について説明する。生体磁場測定用ピックアップコイルより低い微分次数の環境磁場測定用ピックアップコイルを設ける。例えば生体磁場測定用ピックアップコイルが２次微分型である場合、環境磁場測定用ピックアップコイルとして、０次（マグネットメータ）、１次，２次微分型のピックアップコイルを組み合わせて配置する。このようにすることによって、生体磁場データ中に含まれる環境磁場を様々な特性を持つピックアップコイルで測定した環境磁場から推定することが出来るので、環境磁場の推定精度が向上する。また、生体磁場測定用ピックアップコイルのコイルバランスが完全でないために起こるピックアップコイルの微分次数未満の次数の磁場勾配の混入も補正することが可能になる。ただし、生体磁場測定用ピックアップコイルの微分次数以下の次数をもつ環境磁場測定用ピックアップコイルを全種類用意することが装置の構成上難しい場合は、その内のいくつかだけを用意しても推定精度の向上を図ることができる。
【００４０】
次に、第１１実施例について説明する。本実施例は生体磁場測定点での環境磁場を推定するための補足情報として図７に示すようにシールドルーム外、特に外乱磁場の発生源の近傍に磁束計１１を設置するものである。生体磁場測定装置のシールドルーム外には、液体ヘリウムを再液化するための冷凍機、ガントリ、寝台、シールドルームの扉などを空気圧や油圧で駆動するための空気圧、油圧用コンプレッサ、シールドルーム外の照明装置が設置されることがある。これらは環境磁場の大きな発生源になっており、発生する磁場が大きいため、その近傍であればそれらから発生する磁場は通常のフラックスゲート型磁束計で精度良く測定することができる。また、エレベータ、自動車、飛行機などさらに遠方から侵入してくる磁場は、空間変動が少ないため、数十ｃｍ程度以上の面積を持つ多数回巻きの空心コイルおよび駆動用電気回路を用いた磁束計をシールドルームが設置された部屋の壁、窓、床などの数カ所に設置する。
【００４１】
【外１３】
0003596822.tif 000021
データおよび、シールドルーム外に設置した各磁束計の測定値、さらに、推定したい時刻より数十ｍｓから数ｓ前までに測定した数サンプルのシールドルーム外に設置した各磁束計の測定値の全てを縦に並べてベクトルとする。どれくらい前からのデータを使用すれば良いかはシールドルームの時定数に依存し、おおよそシールドルームの時定数程度とする。推定行列Ａの求め方は第１，３，４実施例と同様である。
【００４２】
次に、第１２実施例について説明する。本実施例は生体磁場測定点での環境磁場を推定するための補足情報として、シールドルームを鎖交する磁束を測定する磁束計を設置するものである。図８にシールドルームの６面にコイル１２を設置した様子を示す。シールドルームに磁束が鎖交すると、鎖交した磁束の時間微分に比例する起電力が誘起される。このコイルの出力に積分器を接続して得た信号を信号収集部に入力し、第１１実施例と同様にして、生体磁場データ中に含まれる環境磁場成分を推定する。図９，図１０はそれぞれ、シールドルームの扉、ケーブル用貫通穴のまわりにもコイル１３を設置して、シールドルームに侵入する磁束を測定する様子を示す。
【００４３】
次に、第１３実施例について説明する。本実施例は生体磁場測定点での環境磁場を推定するための補足情報として振動センサを設置するものである。図１１に示すように、センサ１４を設置する場所は、シールドルーム床、シールドルーム天井、シールドルーム壁、ガントリ、デュワ、プローブなどの複数箇所とする。シールドルームにはレーザ変位計、圧電式加速度ピックアップなどの振動センサを取り付ける。ガントリには歪ゲージ、圧電式加速度ピックアップ、静電容量式変位センサ、デュワには、圧電式加速度ピックアップ、レーザ変位計などを設置する。変位センサの出力はゲイン調整のみを行いそのまま信号収集部へ、加速度センサの出力には積分回路を２段に接続して信号収集部に入力する。生体磁場データ中に含まれる環境磁場成分の推定は第１１実施例と同様に行うが、振動センサの出力は推定したいサンプルの前のみでなく後の数サンプルのデータもベクト
【外１４】
0003596822.tif 000022
が良い。
【００４４】
【発明の効果】
以上説明したように、本発明によれば、環境磁場測定点での磁場データの測定値を使って、生体磁場測定点の測定データに含まれる環境磁場を、誤差の２乗和が最少になるように推定することが出来るので、従来の補間による方法のように、補間関数が環境磁場の分布に良く適合しない場合に良い補間精度が得られないという問題がなく、生体磁場測定装置の環境磁場の除去能力が向上する。
【００４５】
また、本発明の環境磁場推定法を使用すれば、従来法のように補間精度を向上させるために多数の環境磁場測定点を必要とする事がなく、従来より少数の環境磁場測定点で従来と同等の環境磁場の除去能力が実現できるので装置の構成が簡単になる。
【００４６】
また、本発明によれば、環境磁場測定点の数や配置が従来法より自由に設計できるので、構成が簡単で製作の容易な生体磁場測定装置が提供できるようになる。
【００４７】
また、シールドルーム外、およびシールドルームを鎖交する磁束を推定データとして使用することが可能になり、環境磁場の推定精度が向上する。
【００４８】
さらに、シールドルームおよび、シールドルーム内の生体磁場測定装置構造物の振動を推定データとして使用することが可能になり、シールドルームおよび、生体磁場構造物の振動による雑音磁場を除去することが可能になる。
【図面の簡単な説明】
【図１】本発明に係る生体磁場測定装置の概略的な構成を示すブロック図である。
【図２】環境磁場データを用いて生体磁場データから環境磁場を除去する様子を示す説明図である。
【図３】本発明の第１実施例に係る各ピックアップコイルの配置を示す説明図である。
【図４】本発明の第７実施例に係る各ピックアップコイルの配置を示す説明図である。
【図５】本発明の第８実施例に係る各ピックアップコイルの配置を示す説明図である。
【図６】本発明の第９実施例に係る各ピックアップコイルの配置を示す説明図である。
【図７】本発明の第１１実施例に係り、シールドルームの外に磁束計を配置する様子を示す説明図である。
【図８】本発明の第１２実施例に係り、シールドルーム内の６面にコイルを配設した例を示す説明図である。
【図９】本発明の第１２実施例に係り、シールドルームの扉の周囲にコイルを配設した例を示す説明図である。
【図１０】本発明の第１２実施例に係り、シールドルームのケーブル用貫通穴の周囲にコイルを配設した例を示す説明図である。
【図１１】本発明の第１３実施例に係り、シールドルーム内に置かれた各周辺機器に振動センサを配置した様子を示す説明図である。
【符号の説明】
１ａ  環境磁場測定用ピックアップコイル
１ｂ  生体磁場測定用ピックアップコイル
２ａ  環境磁場測定用ＳＱＵＩＤ    ２ｂ  生体磁場測定用ＳＱＵＩＤ
３  信号収集部    ４  環境磁場推定部    ５  解析部
６  表示部
【図１】
0003596822.tif 000023
【図２】
0003596822.tif 000024
【図３】
0003596822.tif 000025
【図４】
0003596822.tif 000026
【図５】
0003596822.tif 000027
【図６】
0003596822.tif 000028
【図７】
0003596822.tif 000029
【図８】
0003596822.tif 000030
【図９】
0003596822.tif 000031
【図１０】
0003596822.tif 000032
【図１１】
0003596822.tif 000033